(57)【要約】  本発明は、パンツの類の衣服、または、ウエストおよび脚部フープを有するおしめの類の吸収性製品のような、閉じたまたはフープ構造を含む製品の高速での製造方法に関する。【選択図】図４
2010504773.tif 000002
【特許請求の範囲】
【請求項１】
成形された製品を製造する方法であって、該製品は少なくとも一つの閉じたフープ構造と少なくとも主要なおよび二次的な織布材料とを含み、該製造は、織布供給手段と；半加工品形成手段と；その織布の半加工品の別々の要素を切断する手段と；該半加工品を並列処理ユニットへ運ぶ手段とを含み；該並列処理ユニットが、該半加工品の並列処理のための少なくとも二つの織布処理部分を含み：各々の並列処理部分が、半加工品が運ばれる該並列処理ユニットの表面に本質的に並列に配置された中心プレートと；該並列処理ユニットの全体の製造方向に沿って、該中心プレートの前進方向および後進方向に位置するまたは延長し、かつ、前方または後部端部が該並列処理ユニットの表面から下方へ曲げることができる一方で、該延長プレートのそれぞれの他の端部が該中心プレートに隣接したままであるように枢動自在な縦の延長プレートと、さらに織布固定手段とを含む処理ヘッドを含み：該並列処理ユニットは該半加工品の他の部分に該半加工品の一部を連結する連結手段をさらに含む；高速製造装置で実行され、該方法は以下のステップ
（ａ）前記主要な織布を含み、中央領域と該中央領域から縦に延長する前部および後部の領域とから構成され、該中央領域の両側で横へ外側に延長し、二次的な織布を含み、したがってプラス型の前駆半加工品を形成する側面部分をさらに含む中央部分を含む前駆半加工品の準備；
（ｂ）前記処理部分を含み、各々の該処理部分は前記処理ヘッドを含む前記並列処理ユニットへの前記前駆半加工品の運搬；
（ｃ）外または上方へ向いている前記処理ヘッドの前記中心プレートの表面への前記前駆半加工品の前記中央領域の、および、該中心プレートに本質的に整列される上方へ折り畳まれた位置にある一方での該処理ヘッドの縦の延長プレートへの前記前部および後部の領域の一時的な取り付け；
（ｄ）前記前駆半加工品が形成される前または後の前記主要な織布の個々の部分への分離；
（ｅ）前記半加工品の前および後ろの領域がそれに取り付けられたままである一方での、前記並列処理ユニットの表面から下方へ離れた前記縦の延長プレートの外側の前端および後端の枢支；
（ｆ） 前記前部および後部の領域の側面縁辺と前記側面部分の側面縁辺とを隣接または重なり合う位置決めに導くような前記前駆半加工品の該側面部分の下方への折り畳み；
（ｇ）それぞれの側面縁辺の連結、それによりフープを含む閉じた製品の形成；
（ｈ） 任意にさらなる前記製品の処理；
（ｉ） 前記並列処理ユニットからの前記製品の除去；で実行される方法。
【請求項２】
前記並列処理ユニットは、タレット、または、継目なしのトラックである、請求項１記載の方法。
【請求項３】
前記処理ユニットが前記処理ヘッドの前記中心プレートの横に外側へ延長する側面プレートをさらに含む、請求項１または２記載の成形された製品を製造する方法。
【請求項４】
前記縦または横に延長する側面プレートが回動可能に前記中心プレートに連結される、請求項１から３記載の成形された製品を製造する方法。
【請求項５】
前記縦および／または横に延長するプレートの枢支が、好ましくはカム駆動装置、空気式駆動装置、または、好ましくはサーボ駆動の電気駆動のような、機械的な駆動装置の群から選択される駆動手段によって達成される、請求項１から４のいずれかに記載の成形された製品を製造する方法。
【請求項６】
前記中心プレートおよび／または前記縦および／または横に延長するプレートが織布固定手段、好ましくは真空吸入手段を含む、請求項１から５のいずれかに記載の成形された製品を製造する方法。
【請求項７】
手順（ｊ）前記前駆半加工品へのさらなる織布材料の添加をさらに含む、先行する請求項のいずれかに記載の成形された製品を製造する方法。
【請求項８】
前記さらなる織布材料が本質的に継目なしであり、前記連続的な前駆半加工品の側面部分、好ましくは、該側面部分の横の外側への外辺部と連結する、請求項７記載の成形された製品を製造する方法。
【請求項９】
前記先駆半加工品が前記処理ヘッドへ運ばれた後、および、それに対して取り付けられる前記前後の領域を有する前記縦の延長プレートが下方へ折り畳まれた後、前記さらなる織布材料が切片に分離される、請求項８記載の成形された製品を製造する方法。
【請求項１０】
前記さらなる材料の分離は、前記裁ち目の前記前部および後部領域への連結に本質的に同時に、または、閉じたフープを形成するために一緒に実行される、請求項９記載の成形された製品を製造する方法。
【請求項１１】
前記手順（ａ）前記前駆半加工品の形成において、前記中央部分は、側方の外側の外辺部から内側に延長する切れ目を含み、前記側面部分および該中央部分が、本質的に並列であり、かつ、該切れ目に対して前後方向の延長に対応する連結線または領域によって連結される、先行する請求項のいずれかに記載の成形された製品を製造する方法。
【請求項１２】
前記手順（ａ）前記前駆半加工品の形成において、さらなる材料が前記側面部分材料でフープを形成するために加えられる、先行する請求項のいずれかに記載の成形された製品を製造する方法。
【請求項１３】
前記脚部／大腿パネルを形成する前記側面部分で前記前部および後部領域の重複連結を作成し、この重複連結において、該前部および後部領域が、該脚部／大腿パネルの使用の間に着用者と関連して外側に配置されるように、手順（ｅ）が手順（ｆ）の前に実行される、先行する請求項のいずれかに記載の成形された製品を製造する方法。
【請求項１４】
上部の大腿領域の部分を囲むための脚部フープと、使用の間、着用者のウエストを囲むためのウエスト・フープとを含む、着用者の下部の胴に着用される製品であって、
該製品は、該着用者の前の腹部に置かれる前部領域と、該着用者の下部の後部領域に置かれる後部領域と、該着用者の該股領域に置かれる中央領域とを含む織布材料を含む中央部分と；
該着用者の該ヒップに配置され、該着用者の少なくとも上部大腿領域に下方へ延長する織布材料を含む二つのヒップ／大腿パネルと、をさらに含み、
該着用者の該内股領域に置かれるさらなる織布材料を任意にさらに含み、
そこで、該ヒップ／大腿パネルは、該前部および後部領域にそれぞれ本質的に隣接している部分のみの該中央部分の該中央領域に連結され、それによって、使用の間、該脚部フープを形成し；
該ヒップ／大腿パネルが、該中央部分の該前部および後部領域に連結され、それによって、該ウエスト・フープを形成し；
該中央領域は、該中央領域の該側方の外側の位置で曲線の折り目ラインで維持される３D／カップ型を形成し；
そこで、該折り目ラインが連結線または該中央領域とある場合該任意のさらなる材料との間の連結領域の外辺部を形成する、製品。
【請求項１５】
前記ヒップ領域の範囲内で本質的に一体的であり、および、前記中央部分の前記前部および／または後部領域に対応する領域において連結されることによって閉じる、または、該製品の該前部および／または後部領域に置かれた隙間を形成する前記ウエスト・フープにおいて含まれるさらなる材料をさらに含む、請求項１４記載の着用者の下部の胴に着用される製品。
【請求項１６】
前記ウエストまたは前記脚部フープの少なくとも一つは締め紐、を含み、該締め紐の一端が、前記中央部分の後部の前記ヒップ／大腿パネルの連結の付近で該ヒップ／大腿パネルに連結され、該締め紐の他端は、該中央部分の前記前部領域、または、該締め紐の対応する他端に連結する、好ましくは着脱自在に連結する手段を含む、請求項１４記載の着用者の下部の胴に着用される製品。
【請求項１７】
前記締め紐が管のような外被に置かれる、好ましくは前記ヒップ／大腿パネルの折り重ねにより形成される、請求項１６記載の着用者の下部の胴に着用される製品。
【請求項１８】
少なくとも前記中央部分が、液体吸収材料と、使用の間、着用者の方へ向きを定められる該液体吸収材料にかぶせるトップシートとをさらに含む、請求項１４から１７のいずれかに記載の着用者の下部の胴に着用される製品。
【請求項１９】
使用の間、前記トップシートおよび着用者の間に本質的に位置する二次的なトップシートをさらに含む、請求項１８記載の着用者の下部の胴に着用される製品。
【請求項２０】
前記二次的なトップシートが前記トップシートに少なくとも部分的に重複して前記中央部分の中央領域に少なくとも置かれ、該中央部分の該領域において該トップシートに連結され、前記折り畳みまたは連結線、または、連結領域の前記外辺部に関連して、外側に／上方へ横に配置された領域において前記脚部口ゴム成形材料に連結され、使用の間、着用者の肛門付近の開口領域に置かれる開口部をさらに含み、該開口部は、ＭＤおよびＣＤ延長部と、少なくとも使用の間、それぞれの外辺部とを有し、そして前記製品は、各々が少なくとも該外辺部の点、または、該開口部の該外辺部付近で連結する少なくとも二つのゴム要素をさらに含み、それによって、二つの接続ポイントの各々は、該開口部の該中央、および、少なくとも該トップシートまたは該二次的なトップシートの連結点に関連して、対向する位置にあり、該位置は、該開口部を維持する力をそれによって作成する該開口部の該中央位置と関連して外側に離れて配置される、請求項１９記載の着用者の下部の胴に着用される製品。
【請求項２１】
前記二次的なトップシートが、使用の間、着用者の肛門付近の前記開口の領域に置かれる前記開口部を形成するような前後方向の切れ目を含み、そこで、前記ゴム要素、好ましくはゴム・スレッドまたはバンドは、前記製品の該縦の中心線と本質的に整列して配置され、該ゴム要素は、該切れ目の該外辺部上の点、または、該切れ目の付近の点、および、好ましくは該製品の該ウエスト領域における、該切れ目から縦に離れた点に連結され、それによって、該ゴム要素の張力が該切れ目によって形成される該開口部を維持する、請求項２０記載の着用者の下部の胴に着用される製品。
【請求項２２】
前記ヒップ／大腿パネルを形成する前記側面部分の材料は本質的に矩形または台形の形である、請求項１４から２１のいずれかに記載の着用者の下部の胴に着用される製品。
【請求項２３】
前記ヒップ／大腿パネルを形成する前記側面部分の材料は曲線に成形された外辺部を含む、請求項１４から２２のいずれかに記載の着用者の下部の胴に着用される製品。
【請求項２４】
前記ヒップ／大腿パネルを形成する前記側面部分の材料は開口部または断続的な切れ目を好ましくはＭＤ配向に含み、該開口部または切れ目は好ましくは所定のパターンに配置される、請求項１４から２３のいずれかに記載の着用者の下部の胴に着用される製品。
【請求項２５】
前記連結は、接着剤での接着、熱結合、機械的な固定、または、粘着テープでの固定によって達成される、請求項１４から２４のいずれかに記載の着用者の下部の胴に着用される製品。
【請求項２６】
所定の場所で容易に裂けることを可能にする断裂線をされに含み、該断裂線に沿って分離された後にその部分を再結合するよう配置された再閉止可能な連結手段をさらに任意に含む、請求項１４から２５のいずれかに記載の着用者の下部の胴に着用される製品。
【請求項２７】
前記ヒップ／大腿パネルは、少なくとも一つの一体的材料を含む、請求項１４から２６のいずれかに記載の着用者の下部の胴に着用される製品。
【請求項２８】
前記ヒップ／大腿パネル材料は、組成または特性において異なる少なくとも二つの領域を含む、請求項１４から２７のいずれかに記載の着用者の下部の胴に着用される製品。
【請求項２９】
使い捨ての吸収性の製品、赤ちゃんまたは成人用おしめ製品、トレーニング・パンツ、女性用品、サニタリーショーツ、または、パンツ型の下着として、請求項１４から２８のいずれかに記載の製品。
【発明の詳細な説明】
【技術分野】
【０００１】
本発明は、布地、不織布、フィルム、または、それらから作成された複合材料のような織布材料から作成される製品の製造に関する。製品は使用中に三次元の形状を有し、ベルトまたはフープ構造を含む。特に本発明は、着用者の胴の下部で着用される衣類または衣服、または、使い捨てのおしめのような吸収性の衛生製品の生成に適用されることができる。本発明は、そのような製品と、そのような製品を作成する装置に関連する。
【背景技術】
【０００２】
三次元（３Ｄ）形状を有する、および／または、ベルトまたはフープの閉じた構造を含む衣服のような製品の工業的な製造は、従来、構成要素の自動的な裁縫のような自動化をほとんど採用していなかった。めったに使用されてこなかったその自動化された方法は典型的に、複雑な装置の設計および／または低い製造速度により制限されてきた。そのように裁縫された製品は、パンティガードルに関連するＥＰ‐Ａ‐０９８８８０３、または、ネットパンツに関連するＵＳ‐Ａ‐２００４／００９８７８４、または、ボクサー・ショーツに関連するＷＯ‐Ａ‐０１／０６１０９３において開示される。しかしながら、その製造は、連続的工程を使用している生産ライン上にはない。
【０００３】
ＪＰ０１２８４２８４Ａ２は、環状の弾力的なベルト形状の材料を連続的に縫う機械を開示する。その機械は、ズボンまたはスカートのような管状の布に連続的にゴム・リングのような管状のゴムベルト形状の本体を挿入するまたは縫う。機械は、ガイドプレートを有するガイド装置によってゴム・リングをガイドし、湾曲した部分を作成するため管状の布の端部を曲げ、継目なしのゴム・リングを湾曲した部分によって作成される空間に配置することによって布を縫い、湾曲した部分の開放した端部の側面に後退する。米国特許出願ＵＳ−Ａ‐２００２／００８４０１７において、例えばループ・コンベヤ・システムのような処理ループを通過する伸長可能／格納可能な取り付け具を用いて、ウエスト・ゴム、挿入部および３Ｄスカートまたは胴体部が組み合わせられる３Ｄ製品の製造の工程が記載される。しかしながらこの工程および装置は設計が複雑であり、そして、工程は自動化して作動することができるが、生成速度において厳しい制限がある。
【０００４】
従来のパンツのような製品、または、おしめまたはいわゆるトレーニング・パンツのような着用者の下部で着用され、高速の生産ラインで製造される製品を考慮すると、それらは一般に比較的単純な構造に基づく。特に、使い捨ての吸収性の製品を作成する技法は体に合う製品の効果的な製造に多くの労力が費やされた領域であり、製品の第一世代は、着用される場合に股の複合材料領域を狭めることにより後に改善される、製品の縦の中央領域における本質的に矩形の複合材料に基づくものである。そのような製品は、一般に砂時計型の製品と呼ばれる（図３Ｅ参照）。時にＴ型と呼ばれるこのデザインの変形は、後ろの領域の側方延長部（「後部の耳」と呼ばれる）が着用者のウエストを包み、それ自身および／または製品の前部領域に連結するように着用者における製品の後ろのウエスト領域が前部の領域よりもかなり広い非対称のデザインである。
【０００５】
典型的に、そのような製品は本質的に二次元である、すなわち、織布材料のようなフラット・パネルから作成され、互いに製品の様々な部分を連結するすべての連結線もまた平面上で平らであるようにそれらは平らに折り畳まれる。いくつかのデザインは、いわゆるトレーニング・パンツとして使われるように、パンツのスタイルで前もって製造業者によって組み合わせられる製品である。そのようなデザインはウエスト開口部および二つの脚部開口部を含み、脚部開口部は、製品の股の領域によって切り離され、かつ、着用者のヒップの領域に対応する製品の横の外側の領域は不変にまたは着脱自在に連結されたサイドパネルを含む。使用の際、サイドパネルは、例えば製品の点検のために開きかつ再び閉じることができる、または、例えば目詰まりした製品の除去のために裂いて開くことができる。
【０００６】
典型的に、そのような製品は主に、例えば互いに前端と後端とを配置するように前後に延長している折り目ラインに沿って折り畳まれる。側方の拡張部を折るため、例えば耳領域を内方へ折り畳むための追加的な二次的な折り目が、縦の折り目ラインに沿って折り畳まれる可能性がある。
【０００７】
上記にて説明したいくつかのデザインは、三次元デザインを導入することにより体への適合を改善しようと試み、それによって、本質的に平面の織布またはパネルから作成される製品は、平面において平らに置かれることができず、すべての連結線も平らに位置することができない。
【０００８】
すべてのそのようなデザインはまだ、その形状が製品の側面部分を通じて縦に延長する線に沿って製品が切り開かれかつ平面に置かれる場合、製品は砂時計型、すなわち製品のウエスト領域においてよりも股領域でより狭い型になるという共通点がある。
【０００９】
基本的に異なるデザインに到達する第一のアプローチは、同時係属特許出願ＰＣＴ／ＩＢ０５／０００８４５、ＰＣＴ／ＥＰ０６／００２１６５またはＰＣＴ／ＥＰ０６／００２１６６に記載される。そのようなデザインは、製品が切り開かれた場合、または、最終的な形状に組み立てられる前に、股領域の外側に配置される側面部分を含む。そのようなデザインは、それらが着用者の脚部の外側の部分周辺で包むことができるようにサイドパネルがこの領域に配置されるので、そのような製品を製造する半加工品が股領域において狭くなく、むしろこの領域で広いことからプラス（または＋）デザインと呼ばれる可能性がある。サイドパネルは脚部のフープ、すなわち使用の間、着用者の脚部の周りでベルトの様な構造を形成するように、製品の側面の股領域、すなわち中央の股領域の横の外側の領域に連結される可能性がある。
【００１０】
そのようなプラスデザインは、おしめのような吸収性の製品の場合のような、望ましい接合の機能性を損なわずに、順応性、それゆえに使用の間における着用者の快適性という大きな利点を呈する。上記の文献にて説明されたように、特に適切な製造工程は、その上で製品が前身の織布から形成される本質的に同一のいくつかの処理ヘッドでタレットまたはスライド・トラック・ループのような並列処理ユニットを使用する。
【００１１】
このアプローチがこれまで高速の製造装置で実現せず、かつ、そのような製品に到達する高度に順応性のある製造工程を提供する製品デザインを可能にするのに対して、いくつかの先駆織布要素が組み立てられずに、その上で成形された製品を形成するために組み合わされ、かつ、折り畳まれる処理ヘッドに提供される必要がある。これは、多数の可動要素、それぞれの駆動装置およびセンサ手段を有する工程ユニットを必要とする。より単純な製品デザインの場合において、そのような工程の高い適応性は必要とされず、関連する投資が適切でないと考えられる可能性がある。
【００１２】
したがって本発明は、本質的に平坦な前駆半加工品に本質的にすべての織布要素を前もって組み合わせることによって、この前駆半加工品が製品を形成するためにそれが折り畳まれて仕上げられる処理ヘッドへ運ばれる前に、脚部またはウエスト・フープのようなフープを有する製品を作成するかなり単純な方法を提供する。アプローチはしたがって、「プラス」または（＋）型に前駆半加工品を形成する。処理ヘッドにおいて、プラス型にされた半加工品のそれぞれの「アーム」は下に折り畳まれて、使用の間、着用者の脚部および／またはウエストの周りにフープと呼ばれる閉じた構造を含む製品を形成するため、隣接して位置する端は連結される。好ましい実施態様において、製品の要素は製造の間、製品の前部から後部への配向が流れ方向に対応し、一方横で外側に延長するサイドパネルが交差する流れ方向において向きを定められるように配置される。
【００１３】
任意に、完成した製品において、それらのＭＤ方向に沿って向きを定められ、任意に伸縮性をもたせたウエストバンドのような閉じたフープを形成するための要素が側面部分に取り付けられることができる。結果として、製品がウエストバンドを含む場合、これが、従来通り製造された製品の場合、必然的に側面領域よりも製品の前部および後部領域において連結される可能性がある。
【００１４】
中央部分の織布は、例えば側面の部分がそれに取り付けられた後に並列処理ユニットへ運ばれる時にまたはその前に、個々の部分に切断される可能性がある。代替的な工程の機構において、横へ外側に延長している側面部分が別々の部分に取り付けられる前に、中央部分の織布が別々の部分において切断されるような工程手順の配列であってもよい。そのような配列は、次の中央部分間の距離が変えられることになっている場合、および、例えばそれらの外側の周辺部で次の切断された部分の側面部分を連結する連続的織布がある場合に、特に有用である。
【００１５】
必ずではないが好ましくは、製品の少なくとも一つの主要な要素は、製品の織布が並列処理ユニットへ運ばれる場合、このユニットへ運ぶための容易さのため、本質的に一体的であるべきである。ウエストバンドのない製品の場合、製品の中央部分は、本質的に一体的である可能性がある、すなわち、製品の織布が切断されてそのように得られた別々の製品が形成されて仕上げられる並列処理ユニットの成形ヘッド上での位置決めの前に、製品の全長に沿って本質的に延び（前部から股を通って後部へ）、任意に、脚部フープおよびサイドパネル材料のような他の要素と組み合わせられる。ウエストバンドのある製品において、中央部分の織布は、別々な部分で切断され、それらの部分は、一体的ウエストバンド織布によって互いに連結される可能性がある。
【００１６】
したがって一態様において、本発明は、少なくとも一つの閉じたフープ構造と、少なくとも主要なおよび二次的な織布材料とを含む成形された製品を製造するための方法である。製造は、織布供給手段と、半加工品形成手段と、織布から半加工品を別々の要素に切断する手段と、半加工品を並列処理ユニット好ましくはタレットまたは継目なしのトラックへ運ぶための手段とを含む、高速製造装置で実行することができる。この並列処理ユニットは半加工品の並列処理のため少なくとも二つの織布処理部分を含み、それによって、各々の並列処理部分はさらに処理ヘッドを含む。そのような処理ヘッドは、半加工品が運ばれる並列処理ユニットの表面に本質的に並列に配置された中心プレートと、並列処理ユニット全体の製造方向に沿って中心プレートの前進方向や後進方向に配置されるまたは延長し、かつ、前部または後部端部が並列処理ユニットの表面から離れるように下方へ曲げることができ、一方で延長プレートのそれぞれの他の端部が中心プレートに隣接したままであるように枢動自在である縦の延長プレートとを含む。任意に、処理ヘッドは、また回動可能に中心プレートに連結される横に延長する側面プレートをさらに含む。縦のおよび／または側方の延長プレートの枢支は、機械的な駆動装置の群、好ましくはカム駆動装置、空気式駆動装置、または、電気的な駆動装置、好ましくはサーボ駆動装置から選択される駆動手段によって、達成される可能性がある。中心プレートおよび／または縦のおよび／または側方の延長プレートは、好ましくは織布固定手段、好ましくは真空吸入手段を含む。処理ヘッドはさらに、半加工品の部分を半加工品の他の部分に連結する連結手段と、織布材料および／または半加工品を一時的に保持する固定手段とを含む。
方法は、したがって次のステップを含む；
（ａ）主要な織布を含む中央部分を含む前駆半加工品の準備。中央部分は、中央領域と、その中央領域から縦に延長する前部および後部の領域とから構成されている。前駆半加工品は、中央領域の両側で横へ外側に延長し、二次的な織布を含み、したがってプラス型の前駆半加工品を形成する側面部分をさらに含む；
（ｂ）処理部分を含み、各々の処理部分は処理ヘッドを含む並列処理ユニットへの前駆半加工品の運搬；
（ｃ）外または上方へ向いている処理ヘッドの中心プレートの表面への前駆半加工品の中央領域の、および、中心プレートに本質的に整列される上方へ折り畳まれた位置にある一方での処理ヘッドの縦の延長プレートへの前部および後部の領域の一時的な取り付け；
（ｄ）前駆半加工品が形成される前または後の主要な織布の個々の部分への分離；
（ｅ）前駆半加工品の前および後ろの領域がそれに取り付けられたままである一方での、並列処理ユニットの表面から下方へ離れた前記縦の延長プレートの外側の前端および後端の枢支；
（ｆ） 前部および後部の領域の側面縁辺と側面部分の側面縁辺とを隣接または重なり合う位置決めに導くような前駆半加工品の側面部分の下方への折り畳み；
（ｇ）それぞれの側面縁辺の連結、それによりフープを含む閉じた製品の形成；
（ｈ） 任意にさらなる製品の処理；
（ｉ） 並列処理ユニットからの製品の除去。
【００１７】
任意に、方法は、（ｊ）さらなる織布材料を前駆半加工品に加えるさらなる手順を含むことができる。
【００１８】
このさらなる織布材料は本質的に継目なしであり、連続的な前駆半加工品の側面部分、好ましくは側面部分の横の外側の周辺部を連結する可能性がある。好ましくは、このさらなる織布材料は、前駆半加工品が処理ヘッドへ運ばれた後、および、それに取り付けられる前部および後部領域を有する縦の延長プレートが下方へ折り畳まれた後に切片に分けられ、より好ましくは、この分離は、閉じたフープを形成する裁ち目を一緒に連結するために本質的に並行して実行される。
【００１９】
手順（ａ）の間、前駆半加工品は、内方へ側方から外側に周辺部で延長する切れ目を含む可能性がある。側面部分および中央部分は、本質的に並列でかつ対応する切れ目に前後方向に延長する連結線または領域によって連結される。またこの方法の手順（ａ）の間、側面部分材料を有する脚部フープを形成するため、さらなる材料を加えることができる。
【００２０】
この方法の好ましい実施形態において、手順（ｅ）は、脚部／大腿パネルを形成する側面部分を有する前部および後部の領域の重複連結を作成し、この重複連結において前部および後部の領域は、使用の間、着用者の脚部／大腿パネルと関連して外側に配置されるように、手順（ｆ）の前に実行される。
【００２１】
さらなる態様において、本発明は、上部大腿領域の部分を囲むための脚部フープと、使用の間、着用者のウエストを囲むためのウエスト・フープとを含む着用者の下部の胴に着用されるための製品である。製品は、着用者の前の腹部に置かれる前部領域と、着用者の下部の後部領域に置かれるための後部領域と、着用者の股の領域に置かれるための中央領域と、および、着用者のヒップに配置され、少なくとも着用者の上部大腿領域に下方へ延長する織布材料を含む二つのヒップ／大腿パネルとを含む、織布材料から構成される中央部分をさらに含む可能性がある。特定の実施態様において、製品は、着用者の内股領域に配置されるさらなる織布材料をさらに含む可能性がある。本発明のこの態様において、ヒップ／大腿パネルは、本質的に前部に隣接したそれぞれの後部領域のみが中央部分の中央領域に連結され、それによって、使用の間、脚部フープを形成する。さらに、ヒップ／大腿パネルは中央部分の前部および後部領域に連結され、それによってウエスト・フープを形成する。中央領域は、中央領域の側方の外側の位置の曲線の折り目ラインによって、および連結線を形成する折り目ラインによって、または、中央領域とある場合脚部フープを形成するための任意のさらなる材料との間の連結領域の周辺部によって維持される３Ｄ／カップ型を形成する。
【００２２】
製品は、ヒップ領域内で本質的に一体的であり、中央部分の前部および／または後部領域に対応する領域において連結されることによって閉じている、または、製品の前部および／または後部に置かれる隙間を形成する、前記ウエスト・フープにおいて含まれるさらなる材料をさらに含む可能性がある。好ましい実施態様において、製品は、例えば介護人による隙間の間隔の容易な調整を可能にする締め紐タイプのウエスト要素を含む。
【００２３】
任意に、少なくとも中央部分はさらに、液体吸収材料と、使用の間、吸収材料およびユーザの間に位置するトップシートとを含む。
【００２４】
具体的な態様は、使用の間、トップシートと着用者との間に位置する追加的な二次的なトップシートを含む製品である。好ましくは、二次的なトップシートは、少なくとも部分的にトップシートにかぶせるように少なくとも中央部分の中央領域に置かれ、中央部分の領域で、折り畳みまたは連結線、または連結領域の周辺部と関連して、横へ外側に／上方に配置される領域の脚部口ゴム成形材料に連結されるのと同じく、トップシートに連結される。この二次的なトップシートは、少なくとも使用の間、ＭＤおよびＣＤ延長部およびそれぞれの周辺部を有する着用者の肛門付近の開口領域に置かれる開口部を含む。製品は少なくとも二つのゴム要素をさらに含む可能性があり、各々が少なくとも周辺部の点、または、開口部の周辺部の近くに連結し、それによって、各々の二つの連結点は、開口部の中央と少なくともトップシートまたは二次的なトップシートの連結点とに対向する位置にあり、その点は開口部の中央位置と関連して外側に離れて配置され、それによって、開口部を維持する力を生む。特定の実施態様において、二次的なトップシートは、使用の間、着用者の肛門付近の開口の領域に置かれる、開口部を形成するように交差する切れ目を含み、そこにおいて、ゴム要素、好ましくはゴム・スレッドまたはバンドが、本質的に製品の縦の中心線と整列して配置される。さらに、ゴム要素は、切れ目の周辺部上の点、または、切れ目付近の点、および、切れ目から縦に離れた点に、好ましくは製品のウエスト領域において、ゴム要素の張力が切れ目によって形成された開口部を維持するように連結される。
【００２５】
半加工品を形成するために主要な織布に連結される部分は、本質的に矩形または台形であってもよいが、曲線的に成形された周辺部を含む可能性がある。側面部分の材料はまた、開口部を有することによって孔がある、または、好ましくはＭＤ配向で、好ましくは所定のパターンのスリットを有する可能性がある。
【００２６】
本発明の様々な連結のための連結手段は好ましくは、接着剤結合、熱的結合、機械的な固定手段、または、粘着テープ固定手段である可能性がある。
【００２７】
製品は、着用する一方での点検を可能にするように所定の場所で容易に裂くのを可能にするための断裂線をさらに含み、任意に、断裂線によって切り離されるように部分を再結合するために配置される再び閉じるのが可能である連結手段をさらに含む可能性がある。
【００２８】
本発明の製品は、使い捨ての吸収性製品、乳児または成人のおしめ製品、トレーニング・パンツ、女性用品、サニタリーショーツまたはパンツ型の下着として使用されるのに特に最適である。
【図面の簡単な説明】
【００２９】
【図１Ａ】先行技術の工程の機構を概略的に表す；
【図１Ｂ】先行技術の工程の機構を概略的に表す；
【図２Ａ】本発明の工程を概略的に表す；
【図２Ｂ】本発明の工程を概略的に表す；
【図３Ａ】平らに置かれるプラス型の前駆半加工品を表す；
【図３Ｂ】連結領域の拡大図を示す；
【図３Ｃ】、閉じた製品の斜視図を示す；
【図３Ｄ】異なる実施態様の連結領域の拡大図を示す；
【図３Ｅ】砂時計型の製品（先行技術）である；
【図４】重複脚部口ゴム／サイドパネルを有する製品である；
【図５Ａ】プラス型の前駆半加工品を形成する工程の機構を概略的に表す；
【図５Ｂ】半加工品の特定の部分の断面図を示す；
【図５Ｃ】プラス型の前駆半加工品を形成する工程の機構を概略的に表す；
【図５Ｄ】半加工品の特定の部分の断面図を示す；
【図６Ａ】処理ヘッドの概略図を示す；
【図６Ｂ】処理ヘッドの概略図を示す；
【図７】本発明によるさらなる製品の斜視図を示す；
【図８Ａ】本発明のさらなる製品の斜視図を示す；
【図８Ｂ】本発明のさらなる製品の斜視図を示す；
【図８Ｃ】従来の製品の斜視図を示す；
【図８Ｄ】締め紐ウエストの特徴を含む本発明の製品の概略図を示す；
【図８Ｅ】締め紐ウエストの特徴を含む本発明の製品の概略図を示す；
【図９】開口部を有する二次的なトップシートの概略的な斜視図を示す；
【図１０Ａ】二次的なトップシートを含む製品の製造の特定の工程手順の間の半加工品の概略図を示す。
【図１０Ｂ】二次的なトップシートを含む製品の製造の特定の工程手順の間の半加工品の概略図を示す。
【図１０Ｃ】二次的なトップシートを含む製品の製造の特定の工程手順の間の半加工品の概略図を示す。
【図１０Ｄ】二次的なトップシートを含む製品の製造の特定の工程手順の間の半加工品の概略図を示す。
【図１０Ｅ】二次的なトップシートを含む製品の製造の特定の工程手順の間の半加工品の概略図を示す。
【図１０Ｆ】二次的なトップシートを含む製品の製造の特定の工程手順の間の半加工品の概略図を示す。
【図１０Ｇ】二次的なトップシートを含む製品の製造の特定の工程手順の間の半加工品の概略図を示す。様々な図における同じ符号は、対応する要素を指す。
【発明の詳細な説明】
【００３０】
以下に本発明は、着用者の胴の下部領域において着用されるおしめおよびパンツのような構造を参照することによってさらに詳細に説明される。しかしながら、これは、本発明を制限するものと理解されるべきでない。当業者は、容易に本発明の教示を例えばＴシャツなどの他の衣服の製造に移すことができる。
【００３１】
したがって一態様において、本発明は、本質的に連続的な工程において織布材料から生じるパンツの類の構造または使い捨ての吸収性製品のような衣服の工業的な製造工程である。本発明は、現存する工程を対応する装置に完全に取り替えるのを可能にするが、製造工程全体において特定の工程手順だけを実行するために現存する工程に組み込まれることにもまた適している。本発明は特定の態様において、例えば織布支持手段、および／または、真空ボックスなど類の織布処理手段のような特定の要素の製作の詳細と同じく、適切な材料および一般的な工程レイアウトの一般的な教示のためここに組み込まれる、ＰＣＴ／ＥＰ０６／００２１６５にて説明されたような工程の代替物を示す。したがって、そこに開示されるように、図１Ａは工程フローチャートおよび概略的な装置の機構を示す。
【００３２】
この工程では織布材料１００は、織布支持およびガイド手段（２６０、２７０）と、ここで回転タレット３００として示される並列処理ユニットとを経て織布供給手段２１０から、全体の工程速度および方向２０８において、そこからさらなる処理手順に割り当てられるまたはまとめられる可能性がある工程端部部分９００に供給される。タレットは、織布１００が例えば折り畳まれるまたは他の織布と組み合わされるように処理される、いくつかの並列処理部分３０１…３０６を含む。この処理は、独立してプログラム可能な速度で作動され、したがって例えば、織布の特定の前後方向の折り目を形成する可能性がある織布支持手段３３０、３４０および３５０上での織布の位置決めによって達成される。さらに、各々の並列処理部分３０１…３０６に置かれる織布処理ヘッド４１０は、ここで静止して示される処理ツール４５０と協働する可能性があり、回転するとそれらがツールによって通過すると織布の特定の部分を他の部分に組み合わせるように、そのようなツールがすべての処理ヘッドと協働することができる。
【００３３】
元々本質的な連続的織布１００は、タレットに供給される前にタレット上で、または、タレットから取り除かれた後に別々の部分に切断される可能性がある。
【００３４】
この装置の重要な要素は、織布支持手段の運搬速度および／または方向の適切な調整によって前後方向に折り目が形成された後、織布１００を処理ヘッド４１０へ運ぶプログラム可能な真空ベルトのような織布処理部分３０１…３０６において配置される織布支持手段３３０、３４０、３５０の使用である。隣接して配置された部分の織布はこの処理ヘッド上でそれぞれ連結され、それによって、製品の基本的な形式および形状を形成する。
【００３５】
図１Ｂで概略的に表される構造において、二つの織布１０２および１０４は並列処理ユニット、ここではタレット３００の処理部分３０１…３０６に供給され、例えば切断手段３９５、３９７により適切な長さに分離される。織布支持手段３３０、３４０、３５０および３６０の適切な運動、およびさらにその少なくとも一つの放射状の運動‐ここでは位置３５０´によって示される運動によって、第一の織布１０４はＣＤに折り畳まれ、例えば組合せツール４５０または４５０´によってタレットのさらなる回転により第二の織布材料１０２と組み合わせられる処理ヘッド４１０に配置される隙間３８０および３８５で移動する。
【００３６】
この機構は、製品の変形を作成する、および、異なるサイズの特定の製品を作成するための高レベルの適応性を提供する。しかしながら、作成される製品が明らかに定められる、または、単一のサイズである場合、このレベルの適応性は必要でないまたは望ましくないかもしれない。
【００３７】
したがって本発明は、一実施態様が図２Ａにおいて概略的に表される、工程および装置デザインのための、より単純であるが高速の互換性のある代替物を提供する。
【００３８】
上記の従来の方法と類似して、主要な本質的に継目なしの織布材料１００は、分あたり１０００以上の製品に対応する８ｍ／ｓｅｃまたはそれより高速の織布速度である可能性がある全体の工程速度２０８で、織布支持および／またはガイド手段２６０、２７０経由で織布供給手段２１０に提供される。特定の実施態様において、主要な織布材料は、前駆体を形成するため、他の材料と組み合わせられる前に分離手段４０６によって切断される可能性がある。
【００３９】
第二の織布供給手段１２１０から供給される第二の本質的に継目なしの織布材料１１００は、例えば切断およびスリップ・ユニット１４００によって、主要な織布へ運ばれる別々の部分に切断され、主要な材料の横に外側へ両側で完成した製品が着用される時に股領域に対応する領域に延長するにように取り付けられる。この材料は本質的に一体的に供給され、ライン上で分離される、または、二つの織布供給手段が別々の織布を提供する可能性がある。任意に、これらの材料はすでに、弾性のない部分が中央部分に連結され、一方でゴム部分は例えば後にウエスト・フープの部分を形成するためにその横に外側に配置されるように、部分的に伸縮性をもたせるような複合材料を形成する可能性がある。
【００４０】
任意にさらに本質的に継目なしの織布材料２１００が、完成品のウエスト・フープを形成するため、さらなる織布供給手段２２１０から供給される可能性がある。このさらなる織布材料は、二つの比較的狭い材料のストライプの任意に伸縮性をもたせた、中央部分材料１００の配向と本質的に並列して延長し、かつ、第二の織布材料１１００の横に外側の端に連結される形状である可能性がある。
【００４１】
主要な織布１００、二次的な織布１１００および任意にさらなる織布２１００は、いわゆる切断およびスリップ・ユニット１４００のような従来の手段、および、前駆半加工品３０００の部分として図３Ａにて図示するように前身の織布または一連の前身の織布部分１１０を形成するため、従来の連結手段によって組み合わさられることができ、ここでさらに詳細に以下で検討される。
【００４２】
前駆半加工品１１０はそれから、ここで六つのユニット３０１から３０６として示される少なくとも二つの織布処理部分を含む、回転ドラムまたはタレット３００として示される少なくとも二つの半加工品部分１１０の並列処理のための並列処理ユニットへ運ばれる。各々のこれらの部分は処理ヘッド２４１０を含み、さらに以下の構成を含む：
（ｉ）回転ドラム３００の外側に向きを定められる第一の表面２４２２を有する中心プレート２４２０；
（ｉｉ） 前方または後方端部は並列処理ユニットの表面から離れて下方または内側に曲げられ、一方で延長プレートのそれぞれの他の端部は中心プレートに隣接したままであるように、二つの縦に(織布の移動方向；ｘ方向）延長するプレート２４３０。これは、中心プレートに本質的に垂直な位置に下方へそれらを枢支することを可能にするように、ヒンジ２４３２によってこれらのプレートを中心プレート２４２０に連結することによって可能である。代替的に、これらの延長プレートは、処理部分のフレームに移動可能に取り付けられる可能性がある。
および、（ｉｉｉ） 本質的に矩形で下向きの（ドラムの中央の方へ）位置における中心プレート２４２０の側方の側端部に横へ外側に配置される任意に二つの側面プレート（図２において図示せず）。
【００４３】
処理ヘッドのプレートおよび表面が平面であると一般に記載されるのに対して、これは、正確な形状が多少丸みのあるまたは端があるこれらのプレートまたは表面の全体の延長部に関連する。したがって、中心プレートは、タレット（すなわちシリンダの切片）の表面に対応する形状、または、例えば、完成品によって包まれる下部の胴の表面に適応する完成した製品に近い形状を有する、または、各々の縦の延長部は、角度のある構造の二つのプレートで形成される可能性がある。
【００４４】
織布は、完成した製品９９９を形成するように、連結ツールによって特定の部分を他の部分に連結することにより処理され、かつ、タレット３００に隣接して配置された回転ディスク９５０として示されるタレットおよび少なくとも一つの回転ディスクのさらなる回転により形成された製品９９９が出るのを可能にする、任意にさらなる織布支持またはガイド手段２６０を用いて、処理ヘッド２４１０とその上に配置される製品とに係合するために配置される１以上の移動可能な指９６０を含む除去手段を用いて、タレット３００から取り除かれる可能性がある。
【００４５】
装置のそのような機構により、図３ＡからＤにて図示するように、ここでさらに詳細に以下に検討される、本発明の製品を形成する好ましい工程の配列は以下の工程を含む：
（ａ） 中央領域から縦に延長する中央領域３１１５および前部（３１１２）および後部（３１１８）領域を含み、二次的な織布１１００を含む中央領域の横へ外側に延長し、したがって、プラス型の前駆半加工品を形成する側面部分３１１７をさらに含む主要な織布１００を含む中央部分３１００を含む、前駆半加工品１１０の準備；
（ｂ）前駆半加工品１１０の処理部分３０１…３０６を含む並列処理ユニット３００への運搬。各々の処理部分は処理ヘッド２４１０を含む;
（ｃ）前駆半加工品１１０の中央領域３１１５の外または上方へ面した処理ヘッド２４１０の中心プレート２４２０の表面２４２２への、および、中心プレートに本質的に整列される上方へ折り畳まれた位置にある一方で処理ヘッド２４１０の縦の延長プレート２４３０への前部（３１１２）および後部領域（３１１８）の一時的な取り付け；
（ｄ）前駆半加工品が形成される前か後に、個々の部分への主要な織布の分離；
（ｅ）前部および後部領域が取り付けられたままである一方での下方への縦の延長プレート２４３０の枢支；
（ｆ）前部および後部領域（それぞれ３１１３および３１２３）の側面の縁および側面部分３１１７の前部／後部の縁３１１６および３１２６を隣接または重なり合う位置決めに導くような前駆半加工品１１０の側面部分３１１７の下方への折り畳み；
（ｇ）それぞれの側面の縁の連結、およびそれによるフープを含む閉じた製品の形成；
（ｈ）任意に製品のさらなる処理；
（ｉ）並列処理ユニットからの製品９９９の除去。
【００４６】
個々の工程手順の詳細な議論：
Ａｄ （ａ）（前駆半加工品の準備）：前駆半加工品１１０は、本質的に連続的織布、または、連続的織布から切断される織布部分の本質的に連続的な配列である織布材料１００から形成される。典型的に、必要ではないが、織布材料１００は、一般にＭＤ方向３０５０として表される装置（ＭＤ）の生成方向とは同様に、織布材料１００のＭＤ方向に対応して織布から切断される織布部分でできている製品の前から後ろの方向に向きを定められて供給される。
【００４７】
プラス型の前駆半加工品３０００の原理を示す図３Ａ、および、中央部分３１００を有するそのような半加工品から作成される製品９９９の斜視図を示す３Ｃにおいて表される適切な前駆半加工品は、前部領域３１１２と、後部領域３１１８と、好ましくは並列処理ユニット３００の流れ方向に対応する織布１００の流れ方向３０５０に沿って配置される連結する中央領域３１１５とを含む。完成した製品のヒップ／大腿パネルを形成する二つの側面部分３１１７は、中央部分３１００の中央領域３１１５で横へ外側に延長している。図３Ｂは、脚部フープの内股領域に適用される余分な材料を有する半加工品の実施態様の四つの連結のうちの一つの拡大図を示し、連結領域３１２０をさらに表し、それによって、側面部分３１１７は、中央および前部／後部領域間の境界線３１２７に沿って中央領域に連結される。連結は、接着剤、熱での接着のような従来の手段によって達成される可能性がある。連結は微細な線の形で好ましくは実行されるが、特定の領域を覆う可能性がある。それは、しかしながら、体への適合のために最小化されるべきである。内股領域を覆うために適用される余分な材料なしでの製品の実施態様においては、連結領域に隣接したスリットまたは切り込み３１２５は、好ましくは、図３Ｄで連結線または領域３１２０が作成される一方で中央および前部／後部領域間の境界線３１２７に沿って機能する。この切れ目が前後方向の配向を有する直線として示されるのに対して、他の角度に配置されるが、その部分の中央領域の側面の縁に並列ではない。切れ目はまた曲線で機能する可能性があるが、連結線／領域を本質的に切れ目に続くようにさせるのをより困難にする。連結線または領域および切れ目の長さは、脚部口ゴムの形式および形状、したがって後に成形ヘッド上で形成される脚部の開口に影響を与える。連結線または領域以外に側面部分３１１７が中央領域３１１５に連結されないので、それらは、そこから後に脚部口ゴムおよび脚部開口部３１３０が完成した製品において形成される重複領域３１３１における中央部分にゆるく被せられる。
【００４８】
図３ＡからＤにて図示するように、プラス型の半加工品は、完成した製品のウエスト・フープを形成するために配置されるさらなる材料３１１９をさらに含む可能性がある。このために、好ましくは伸縮性をもたせているこの材料の本質的に継目なしの狭いストライプは、側面部分３１１７の外側の端に取り付けられる。
【００４９】
吸収性の製品を製造する場合に、追加的な要素が前駆半加工品に加えられ、吸収材部材（中心）はあらゆる織布材料または前駆半加工品と組み合わせられる可能性がある。従来の製品とは対照的に、特にここで砂時計型の製品と呼ばれるものにおいて、本発明の製品のカップのような型の中央領域は、側面部分および中央領域の横へ外側に配置された領域によって形成されると、− 特に大腿領域の漏れに対して封止機能を改善することに加えて 、股領域または脚部口ゴムにおいてさえさらなる液体吸収容量を提供することを可能にする。
【００５０】
図３が分離されたプラス型の半加工品を示すのに対して、連続的な半加工品は、これらが切断される前に中央部分が連結され、かつ、処理ヘッド（下記参照）上で折り畳まれるように、生産ライン上で互いに連結される可能性がある。追加的にまたは代替的に、さらなる材料３１１９は、例えば側面部分３１１７の両方の側方周辺部で連続的な前駆半加工品を連結している連続的ストライプを形成する可能性がある。
【００５１】
図３Ａは、完成した製品の前から後ろへの配向に対応する本質的に一体的の中央部分３１００のＭＤ配向３０５０の好ましい実施形態を示す。前駆半加工品３０００は、例えば、ガイドロール、または、棒、任意に真空手段等の織布固定手段を備えた運搬ベルトのような織布支持手段の類のあらゆる従来の手段によって、並列処理ユニットに供給される可能性がある。
【００５２】
並列処理ユニットは、またタレットと呼ばれ、図２Ａにおいて概略的に表される従来の回転する本質的に円柱状のドラムであってもよい。タレットは、織布は、わずかに触れる程度にタレットに供給され、円筒型ドラムの外側表面に取り付けられ、製品の処理および成形後、放射状に外側にタレットから放出されるように、その縦の中央軸と全体の織布運搬方向に対応する回転方向との周りを回転する。
【００５３】
タレットは、完全なシリンダの形式である、または、回転軸に垂直のタレットの断面が多角形に対応するように、ロッド、棒または支柱を用いて従来の方法で設計されてもよい。好ましくは、タレットは平坦な織布処理部分を含む。これらの処理部分は処理ヘッドを含むが、例えば（真空ベルトのような）さらなる織布支持手段、（ガイドロールのような）織布ガイド手段、または、（織布切断手段のような）織布処理手段の類のさらなる要素を含む可能性がある。
【００５４】
別の実施態様において、並列処理ユニットは、図２Ｂにおいて概略的に表されるように、米国特許公表ＵＳ‐Ａ‐２００２／０８４０１７から原則として周知である多くの織布処理部分を導く継目なしのトラックであってもよい。そのようなデザインにおいて、処理ヘッドの位置決めを説明する用語は再考案される必要がある。例えば、「放射状に外側に」は「上方へ」に対応し、「わずかに触れる程度に」は「スライド・トラックに並列」に対応するなどである。図２Ｂに示すように、前駆半加工品１１０の連続は、処理ヘッド２４１０の対応する連続へ運ばれる、閉じたまたは継目なしのトラック３０９に沿って前方へ移動される。それがその上のそれぞれの材料と処理ヘッドと相互作用する様々な処理ツールの直線的な、およびそれゆえに比較的容易な配置を可能にするので、示されたそのようなトラックの楕円形の配置は好ましい。楕円形の形式は、一つの本質的に直線の処理トラック３１０および戻りトラック３１５の使用を可能にする。完成した製品９９９は、処理トラックの端部で、上記の除去ユニット９５０によって処理ヘッド２４１０から取り除かれる可能性がある。
【００５５】
Ａｄ（ｂ）：前駆半加工品１１０の並列処理ユニット３００への運搬；前駆半加工品は、織布支持手段２６０または織布ガイド手段２７０のような従来の手段によって並列処理ユニットへ運搬される。並列処理ユニットがタレットである場合には、前身のものは、本質的にわずかに触れる程度に処理ヘッド２４１０を有する処理部分の一つへ運ばれる。プラス型の前駆半加工品を受容する前に、処理ヘッド２４１０は折り畳まれた構造にある。これは、ヒンジ２４３２によって、回動可能に中心プレート２４２０に連結される二つの縦に延長するプレート２４３０が中心プレート２４２０を有する連続的表面を本質的に形成する構造に関連する。本質的な連続性は、中心プレートおよび延長プレートが面である場合、これらが直線で整列される事実に関連する。中央の面が（例えば円筒状に）成形された場合、本質的に、０°のヒンジ角度で滑らかに転移する。中心プレートと延長プレートとの間のヒンジ結合された連結の代わりに、後者は、異なる手段によって例えば処理部分のフレームに取り付けられ、他の手段による運動に続く可能性がある。
【００５６】
Ａｄ（ｃ）：前駆半加工品１１０を処理ヘッドの外側表面２４２２へ一時的に取り付け、それによって、中央領域３１１５は、中心プレート２４２０に配置される。処理ヘッド２４１０の縦の延長プレート２４３０へ前部および後部領域（３１１２、３１１８）の取り付け。取り付けは、例えば真空のような従来の手段によって提供される。
【００５７】
そこに次の半加工品の中央部分が連結される前駆半加工品が連続的織布として形成される場合、それらが処理ヘッドにまたは処理ヘッド上に取り付けられる前に、これらは切れる可能性がある。
【００５８】
前駆半加工品の側部領域３１１７は、任意に側方延長プレート（図示せず）によって支持される中心プレート２４２０の横へ外側に延長する。
【００５９】
Ａｄ（ｄ）前駆半加工品が形成される前か後に個々の部分への主要な織布の分離。
一連の部分への主要な織布のこの分離は、切断部分が適切にまだ運搬される場合には、材料が折り畳まれる前に、過程においていつでも実行される可能性がある。運搬は、例えば真空ベルトのような支持手段、または、続く部分を連結する他の連続的織布によって提供される（任意の工程手順（ｊ）参照）。好ましい態様において、半加工品は、それらがタレット上の処理ヘッドへ運ばれる時分離される。分離は、回転刃、レーザカットなどのようなあらゆる適切な従来の手段によって実行することができる。
【００６０】
Ａｄ（ｅ）回転ドラムの中央への方向における縦の延長プレート下方への枢支；最初は縦の延長プレートによって支持される半加工品の前後の領域は、これらのプレートを枢支することによって、例えば中心プレートに対して約９０°の角度で下方へ容易に折り畳むことができる。
【００６１】
Ａｄ （ｆ）任意にガイド手段または下方へ折り畳み可能な側方支持プレートを使用する、前身の織布１１０の側面部分３１１７の下方への折り畳み；側面部分３１１７は、中心プレートに回動可能に取り付けられ、それから下方へ枢支される対応する横に延長する支持プレートによって支持される可能性がある。
【００６２】
代替的に、側面部分は、タレットの基部に取り付けられ（それゆえに回転しない）、静止しているガイドプレートのような代替的なガイド手段によって支持され、適切に連結されたウエスト・フープ材料によってタレットの中央の方に下方へ引かれることにより横の延長部が下方へ折り畳まれるのを可能にするように、適切な位置でこれらのサポート手段は終結する。任意に伸縮性をもたせ延長された材料のこれらのストライプは、連続的な半加工品を連結する場合（すなわちこれらがまだ切れていないまたは切断されない場合）、タレットの経路の湾曲の性質によって、自動的に適切に下方にサイドパネルを引き、したがって、支持プレートまたはガイド手段を必要としない。
【００６３】
図３ＡおよびＣで示されるように、曲線折り畳み線３３００に沿って発生するプラス型の半加工品１１０の中央領域３１１５の側方部分の下方への折り畳みは中央領域を膨張させ、それによって、同時係属特許出願ＰＣＴ／ＥＰ０６／００２１６６にてより詳細に説明したように、使用の間、体の形の輪郭を反映する完成した製品９９９において杯状構造を形成する。この膨張は、処理ヘッドの中心プレートの外側に対向する表面２４２２を適切に成形することにより、および、中央領域の側面領域のそれぞれの折り目により、任意に容易にされる可能性がある。
【００６４】
Ａｄ（ｇ）：それぞれ隣接して配置する側面の縁の連結；
プラス型の前駆半加工品の側面部分３１１７と同じく前部（３１１２）および後部（３１１８）領域が下方へ折り畳まれた後、それぞれ隣接して位置する側面の縁の延長領域は、閉じた構造を形成するためにそれぞれに連結できるように配置される（図３ＡおよびＣ参照）、すなわち前部領域３１１２の側面の縁３１１３は側面部分の前方の縁３１１６に隣接して配置され、その側面部分３１２３の後ろの領域３１１８は側面部分の後方の縁３１２６に隣接して配置される。
【００６５】
本質的に矩形に配置されているアームを有するプラス型を形成する図３の半加工品に示すような単純な配置において、本質的に垂直に配置された折り畳み線に沿った折り畳み手順は半加工品のオリジナルの面からこれらのアームを曲げ、これらを互いに連結する次の手順が製品の３Ｄ形状を固定するように、縦に向きを定められた端に隣接して前後に向きを定められた端を配置する。したがって、単純な下方への折り畳みおよび続く連結によって、複雑な構造が形成され、（平面／プラス記号型の）半加工品に本質的に垂直に延長している端はここで互いに連結することができる。前部および／または後部領域と関連した側面部分の下方への折り畳みは所望のデザイン次第であり、例えば、これにより互いに重なる領域または部分が定められる。その限りにおいて、ここで記載される手順の順序は、必ずしも時間順で定められるわけではない。
【００６６】
連結は、接着剤および加圧の適用、または、熱を用いて、または、超音波エネルギ、または、わずかな圧力で機械的な固定手段のはめ込み形部品による結合等の上記参照の同時係属出願ＰＣＴ／ＥＰ０６／００２１６５でさらに詳細に記載される様々な従来の技術によって達成されることができる。連結のタイプに従い、いくつかのまたはすべての織布材料は、支持手段のそれぞれの端の向こうに突き出す可能性がある。そこに、処理ヘッドと相互作用する処理ツールの一以上の一組が存在する。連結ツールは、（能動）押圧ツールおよび受動的な金床のような能動および受動要素を含む可能性がある。処理ツールは、タレット切片（およびそれゆえに処理ヘッド）が回転可能に通過するようにタレットとして同じ軸に、または、本質的にタレットの軸に対して垂直な軸に回転可能に取り付けられる可能性がある。
【００６７】
本発明は、特に材料が処理ヘッドにかぶせるようにそれが二つの側面の結合を可能し、あらゆる方法で処理ヘッドと相互作用する一以上の対応する処理ツールによって処理される、接続手段およびツールを選択する広い適応性を提供する。
【００６８】
Ａｄ（ｈ）任意のさらなる製品の処理；
延長部の下方への折り畳みの後、製品の基本的な形式は連結により定められかつ固定される。特定の有用なさらなる手順は、フープ３１１９を形成するさらなる織布材料の組合せであり、したがって、例えば、前駆半加工品１１０がそのような材料を含まない場合、下の位置（ｇ）と記載された支持されない側面部分の安定である。またさらなる連結手段が、例えば再使用可能な閉止部材などが加えられる、または、特定の部分が異なる機械的な特性を伝えるために機械的に処理されるように特に処理される、または、好ましくは、使用の間、着用者の方へ向きを定められる表面が肌へのなじみを良くするため、または、治療的な処理の目的のためにローション剤、クリーム等で処理される可能性がある。
【００６９】
Ａｄ（ｉ）織布処理装置からの製品の除去：
すべての適切な動作が成形された製品に実行されるならば、これは、真空吸入、空気圧などの様々な手段を使用することによって、タレットから取り除かれる可能性がある。
【００７０】
特に適切な方法は、タレット３００に隣接して配置した回転ディスク９５０を示し、タレット３００および回転する指ディスク９５０がさらに回転すると形成された製品９９９が出て来るのを可能にするように処理ヘッド２４１０と製品の脚部開口部３１３０とを係合するために配置される放射状に移動可能な指９６０を含む、図２Ａにおいてさらに示される。そのようなディスクのうちの一つは、タレットの各々の側面に配置される可能性がある。織布支持手段２６０は、形成された製品９９９を包装ステーション（図示せず）にさらに運搬する可能性がある。この手順の間、面で平らに置かれるすべての縫い目が平らに折り畳み可能でないがつぶれる可能性がある「３Ｄ製品」を形成するため、製品が過度に押圧または形崩れしないように注意されるべきである。
【００７１】
上記に記載された工程手順に加えて、工程は、特に（ｊ）前駆半加工品へのさらなる材料の添加のような、他の工程手順をさらに含む可能性がある。
【００７２】
図３Ａおよび３Ｃにて図示するように、特にそのような材料は図２Ａに示すように織布材料２１００として供給ロール２２１０から加えられるウエストバンド材料３１１９である可能性がある。以下に記載されるように、そのような材料はまた、脚部口ゴム材料が側面部分の材料と前もって組み合わせられて、その組み合わせられた材料が中央部分（図５ＡからＤ参照）に加えられる場合、さらなる他の材料と前もって組み合わせられる可能性がある。
【００７３】
本発明はまた、ここで記載される製造方法によって製造され、製品の側面部分により縦に延長する線に沿って製品が切り開かれて平面に置かれる場合に製品のウエスト領域よりも股領域において狭いような形状を有する典型的な従来のデザインとは明確かつ有益に異なる製品に関する。そのような製品は、多くの場合また「砂時計型」製品４０００と呼ばれる（図３Ｅ‐前部（４０１２）後部（４０１８）および中央（４０１５）を示す‐を参照のこと）。典型的にそのようなデザインは、使用の間、着用者の股の折り目に沿って前部から後部に続く周知の脚部ゴムおよび／または伸縮性をもたせた口ゴムのようなゴム閉止要素４１００を含むことに留意するべきである。したがって、これらの要素は、製品が「弛む」または下方に引かれる（立っている着用者において）力を不可避的に作成してしまう。
【００７４】
対照的に本発明によれば製品および上記した工程により生じる製品は、先駆材料がプラス型を形成する‐図３参照‐ように、横へ外側に延長する側面部分が取り付けられて後に連結される、主要なまたは中央部分の織布材料を含む。外側に延長している部分は、内側へ向きを定められた前後の角で（図３ＡからＤ参照）部分的にのみ中央織布に取り付けられ、これらの連結点の間の中央の織布にゆるくかぶせられる。それぞれの領域が折り畳みおよび連結されると、これらの重なった領域は製品の脚部開口部３１３０に対応する。
【００７５】
液体吸収性の製品で封止機能を実行するように製品が伸縮性をもたせた要素を含む場合、これらはウエストおよび／または着用者の脚部周辺に外周に配置され、したがって、従来の砂時計型の製品で記載されるような「弛み」を誘発しない。
【００７６】
前駆半加工品の側面部分はまた、‐従来の側面またはヒップ・パネルとは対照的に、使用の間、着用者のヒップを覆うだけではなく着用者の大腿にさらに下がって延長するので、完成した製品９９９においてヒップ／大腿パネルと呼ばれる可能性がある。したがって、本発明は、脚部フープと呼ばれる着用者の脚部を囲む閉じた構造を有する製品を提供する。そのような脚部フープは、図３Ｄにて図示するように、曲線の折り畳み線３３００により中央の股領域と称される中央領域の残りから区切られる、ヒップ／大腿パネルの部分と中央領域の横へ外側に延長する部分とで形成される可能性がある。代替的に、図３Ｃに示すように、さらにヒップ／大腿パネルに連結され、したがって脚部フープまたは口ゴムを形成する曲線の連結またはカーブによって区切られる連結領域に沿って、さらなる材料が股領域に連結される可能性がある。
【００７７】
典型的に、生じる製品は、面上に平らに置かれた連結線または領域を有するが平面上に平らに置くことはできず、連結線（または連結領域の境界）で切り開かれると平らに置くことができ、それからプラス記号（または十字）型の半加工品を形成する。
【００７８】
上記の記載が簡単な表現で本発明を説明することを意図したのに対して、以下に記載されるような工程および完成品のための多くの特定の実施態様がいくつか存在する。しかしながら、これらの実施態様は、本発明の範囲を制限するものとはみなされない。以下の実施態様が組み合わされることにもまた留意されるべきである。
【００７９】
一つの特定の実施態様において、本発明の工程は、着用者の外側のヒップおよび大腿を囲む側面部分の材料３１１７により、および、製品の斜視図を示す図４において概略的に表すようにさらに内側の脚部口ゴム材料により、脚部フープが形成される製品の製造を可能にする。
【００８０】
前駆半加工品の作成は、図２Ａで示す全体の工程配置内で、そのようなデザインに到達するための工程手順を概略的に表す図５を参照することによってさらに説明される。このために、プラス型の先駆体のＭＤ方向と整列するＭＤ方向３０５０に沿って続く側面部分の材料１１００は、脚部口ゴム成形材料２５００の部分と組み合わせられる。この口ゴム成形材料２５００は最初側面部分の材料と並列に続き、位置２６００で示された折り畳みステーション上で１８０°縦に下方へ所定の重複の幅になるように折り畳まれる。したがって、折り畳みステーション後の材料の周辺部２５０５は破線によって示される。この織布は、それから４５°棒またはロール２６１０を回転させて、その周辺部２５０５が見えるように織布を逆転させる。上方へ面する折り畳まれた領域２６２５は、例えば接着剤塗布器２６２０によって接着剤を塗布することによってここで処理されることができる。この織布は次に、切断ユニット２６３０によって脚部フープの高さを成形するための適切な長さに切断され、図５Ａにて図示するように、側面部分の材料に接着剤で処理された折り畳まれた領域に取り付けられる。回転ヘッドと側面に供給されたウィンドウを有する金床とを備えた市販のテープ切断ユニットが、この切断動作のために採用される可能性がある。織布１１００の受容は切除ヘッドを回転させることによりわずかに下向きに移動され、織布２５０５の接着剤で処理された折り畳まれた領域に対して押圧され、それによってそれぞれの領域重なり合わせて、脚部フープを閉じる。図５Ｂは、それに対して取り付けられる脚部フープ材料（２５００）を有し、連続的織布１１００から後で例えば切断ツール２６４０によって適切な長さに分離される、側面部分１１００のこの組合せ１１１０の概略断面図を示す。この切断は、組み合わさられた材料１１１０を連続的な中央部分の材料１００に（図５Ｃ参照）運ぶと同時に達成される可能性がある。そこで、それは例えば接着層のような曲線の連結線３３００によって取り付けられる可能性がある。図５Ｄは、この複合材料の概略断面図を示す。図５Ｃにおいてさらに示すように、工程は、完成した製品のウエストバンド・フープを形成するそのうえさらなる材料２１００の添加を含む可能性がある。この材料は、従来のガイドおよび／または支持手段を通じて供給され、ここで側面部分材料の側方の外側の側面縁に取り付けられるものとして示される側面部分の材料に取り付けられる可能性がある。このように記載された工程が第二の側面部分に反映される場合、プラス型の半加工品１１０は完成し、連続的な半加工品は分離線１１１に沿って分離される前またはその時にタレットに運ばれる。
【００８１】
本発明のさらに特定の実施態様は、中央部分が、これが少なくとも部分的に延長される場合であっても、製品のウエスト・フープ３１１９を形成する延長可能な織布材料２１００よりもＭＤ方向により長く延長するような（図５Ｃのウエスト・フープ材料２１００参照）製品デザインに関連がある。一つの実施態様において、ウエスト材料２１００は、中央部分３１００の長さに適合するように好ましくは弾性力をもって延長される。他の実施態様において、ウエスト材料が所望のレベルに延長されることができるようなウエスト織布材料の余分な長さ、ウエスト・フープの前部および後部部分の重複を形成する（余計な）ウエスト材料の余分な長さ、または、左右のウエスト・フープ部分が結合される場合に取り除かれるウエスト材料の余分な長さが存在する可能性がある。加えてまたは代替的に、続く半加工品の中央部分が分離され、ウエスト材料が半加工品に加えられる前に分離された端部領域は部分的に重なり合うように（「屋根板のように」）配置される可能性がある。
【００８２】
完成した製品でウエスト・フープを形成する別々の織布材料なしで製品を形成する（すなわち例えば図３において示されるように）場合、中央部分の前後の領域および側面部分は、成形ヘッド上で下方へ容易に折り畳まれることができる（上記の説明の手順（ｅ）参照）。完成した製品のウエスト・フープを形成する意図を有し、すでに側面領域の側方周辺部に取り付けられる織布材料の場合には、特に有用なデザインの成形ヘッド２４１０が使われる可能性がある。そこにおいて、各々の縦の延長プレート２４３０は、図６Ａにて図示するように例えば三角形の二つのサブプレートから構成される可能性がある。下方への折り畳みと同時に、プレートはまた、図６Ｂにて示す中間の角２４３３または前部延長が前方へおよび内方へ約４５°で向きを定められるように双方向ヒンジ点２４３２の周りを回転する。回転と同様に枢支は、例えばカム・システム、空気式または電気的なシステム、スプリング搭載システム、または、サーボモータのような従来の手段によって達成される可能性がある。図６に示すように、処理ヘッドの側方延長プレート２４４０は、ここで下方へ向きを定められた周囲の端部が中心プレートのＣＤ幅より小さいＣＤ距離に置かれるように、多少９０°より上、例えば１００°で下方へ取り付けられる。図６Ａに示すように、これは、枢動自在または枢動しないように、上端においてよりも下端でより狭く、それに対してサイドパネル材料が押圧される横向きに延長するプレートによって達成される可能性がある。この実施態様は、中間の角２４３３近くのその切断と本質的に並行して、例えば加熱または延長プレートに対する押圧での接着により、ウエスト材料のそれぞれ閉止の連結を容易にする。
【００８３】
本発明の範囲内のさらに特定の実施態様は、縦の延長プレートのヒンジ点２４３２の位置決めに関連がある。これらのヒンジ点が典型的に中心プレート２４２０の表面の下に配置される（例えばタレットの中央の方へ）ので、下方への折り畳みはそのＭＤ方向における織布材料の延長部を作成する。これは、織布のゴム特性によって補われる可能性がある。代替的に、ヒンジ点は、延長プレートと関連して、ＭＤ方向に沿って移動可能に取り付けられる可能性があり、したがって、織布の延長部を補っている。そのようなデザインは当業者にとって周知である。例えばＥＰ‐Ａ‐０７１７９７２参照のこと。
【００８４】
前部および後部領域と側面部分との下方への折り畳み（すなわち前述の手順ｄ）およびｅ）は、同時にまたは代わるがわる実行され、それによって、個々のパネルの重複およびその方法を定める。意図されたデザインによって前部領域の材料は、図３に示すようにヒップ／大腿パネルの外側（着用者の「内側」と関連して）に重なる、または、逆に−図４に示すように、ヒップ／大腿パネルは前部領域に重なる可能性がある。同様に、切断部３１２５（図３Ｂ参照）に隣接する前部または後部領域の材料の部分は、折り畳まれて内側または外側に連結される、または、切離される可能性がある。
【００８５】
さらに、それは、材料の連続的一体的部分である、または、−処理ヘッドへ運ばれる前−中央部分を形成するように互いに連結されるいくつかの部分の材料で構成される中央領域の織布部分に関する考慮が特になされる。例えば、後部領域はゴム材料を含む、または、使用の間、体に適合するように少なくともＭＤ方向において拡張可能である。
【００８６】
同様に、ヒップ／大腿パネルを形成する側面部分３１１７は異なる材料で構成される、または、これらの領域を機械的または熱的に異なって処理される異なる特性を有する小区域を有する一つの材料で構成される可能性がある。
【００８７】
これは、きわめて費用効果的でそのうえ十分に適合する製品の設計を可能にする、‐ 例えば、 比較的費用のかかる弾性化は必要とされる領域に制限されるが、他の領域はよりわずかに非弾力的または弾力的である可能性がある。例として、ゴム収縮力は、ウエスト領域で高いレベル、ヒップ領域においてより低レベル、また脚部領域で高いレベルが要求される。また着用者の体の上で圧力を変えることにより、より高い収縮力が達成され、例えば、ウエスト領域で力はより小さい領域に拡がる（したがって体の上でより高い圧力を作成する）、一方で、脚部フープには、より低圧を生じる大きい領域がこれらの力を適用するために使用される可能性がある。必要に応じて、ヒップ／大腿パネルの領域もまた、皮膚への摩擦係数が高い材料で被覆されることができ、したがって、皮膚での最小表面圧を有して製品の良好な適合が提供される。
【００８８】
さらに工程における特定の曲げおよび折り畳みのため、流れ方向において供給される材料は、それらの本来のＭＤ方向が製品の配向に対して前後に延長するように、製品に適用される可能性がある。これは‐例えば、 ＭＤ配向された伸張がＣＤ配向された伸張よりも非常に容易でありかつ費用効果的であるのでより効率的なゴム材料の使用を可能にする。
【００８９】
接着剤でまたは熱的に領域を不変に連結することに加えて、本発明は、各々のヒップ／大腿領域で所定の断裂線７１００をさらに含む図４の製品を示す図７において表されるように、サイドパネル領域よりも前部および／または後部領域において、機械的なファスナ、接着剤または熱的な結合、または大きいファスナによって連結される、例えばパンツのような製品のウエスト・フープのようなフープを含む製品を生じることを可能にする。この断裂線７１００は、脚部フープ材料２５００の添加の前に、側面部分の材料１１００において（また図５Ａ参照）作成される可能性がある。そのような断裂線は、ユーザが製品を検査するのを可能にするため、部分的な穿孔によって作成される可能性がある。製品の使用を継続が決定される場合において、それは、例えば側面部分の材料とそれぞれヒップ／大腿パネルとを係合するように設計された機械的なファスナ７２００の形で示される二次的な閉止手段によってまた閉じられる可能性がある。
【００９０】
そのような再閉止可能な連結手段は、接着剤の線のような永久的な連結手段と組み合わせて、さらに使用される可能性がある。それから再閉止可能な手段は例えばサイズ調整するために使われる、または、これらが破壊的に切開されたが、製品はさらなる使用に適切である場合に永久的なものと取り替えられる可能性がある。この再閉止可能性はまた、製品が任意にさらなる処理手順において着用者に適用される前に好ましくは介護人によって完全に開けられるように設計される可能性がある。それから線７１００は、例えば機械的な留め具フックのような再閉止可能な連結手段７２００によって一緒に保持される材料を完全に分離する可能性がある。このデザインは、乳児のおしめに適用される従来の方法の製品に適用することができる。
【００９１】
本発明は、製品のウエスト機能のデザインにおいて特定の適応性を可能にする。従来の工業的な製造工程は、ウエスト機能−例えばウエスト・シールドまたはウエストバンドのような−の連結を可能にしない、または、着用者の前部および後部のそれぞれでの二つの連結によって閉じたウエスト・フープ３１１９を示す図４と、着用者の前部領域のみにおいて連結されるウエスト・フープ８１１９を示す図８Ａとにさらに概略的に表されるように製品の前部または後部領域において遮ることさえあった。図８Ｂは、一方が着用者の前部領域においてあり、もう一方が後部領域にある二つの隙間７４００を有する中断されたフープを示す。これは、わき縫い目１０１０によって連結されるトレーニング・パンツ１０００側面とで連結されるウエスト要素１０１５とを示す図８Ｃに関連する、ウエスト機能の縫い目が着用者の側面またはヒップ領域に配置されなければならない従来の高速で生成される製品とは対照的である。
【００９２】
特定のウエスト機能は、図８Ｄにおいて概略的に表される。それは、二つの部分の伸縮性をもたせたウエスト・ベルト材料３１１９を含み、各々は連結領域または線７３００のみに沿った一端と、それぞれ中央部分の後部領域への連結付近でヒップ／大腿パネルに連結される中央部分の後部領域３１１８が重なり合うヒップ／大腿パネル３１１７の領域とを連結する。その部分はそれから、図において折り重なり外辺部７５００により示される、例えばヒップ／大腿パネルの後ろに折り畳まれた延長部によって形成される外被において締め紐のようにゆるく保持される可能性がある。締め紐は、中央部分の前部領域３１１２において、再閉止可能に互いに連結される、または、各々が直接前部領域３１１２に連結される可能性がある。好ましい実施態様において、これは機械的な固定手段７２００の使用によって達成される可能性がある。このデザインは、より小さいウエスト外周に適応するように締め紐がより近接して引かれ、より小さい間隔幅７４００´を有する図８Ｄと同じ製品の図８Ｅに示すように、例えば介護人がユーザのウエスト外周を容易に調整するのを可能にする。締め紐の材料は本質的に一体的な材料であり、少なくとも特定の領域がゴムである可能性がある。それは、例えばヒップ領域に対応する領域で伸縮性をもたせ、閉止領域の従来の不織または不織フィルム積層体では弾性がないように様々な材料で構成される可能性がある。典型的に、それは、例えば体への快適さのため、好ましくは約１ｍｍ以上であり約１２０ｍｍ未満の幅を有するバンドの形の織布材料でできている。製造の間、締め紐は、プラス型の半加工品を形成するために中央部分に連結される前に好都合にも側面部分材料に連結される可能性がある。その時、それは折り畳まれている側面部分の材料によって包囲される可能性がある。折り畳まれた材料は、工程の間または使用の際ウエスト材料により容易に接触するのを可能にするため、前端で整えられる可能性がある。締め紐材料は、その前側部分にすでに機械的なファスナを含む可能性がある。そのような機械的なファスナは、それらが前方へ引かれる（例えば工程の間または介護人によって）場合容易に分離できるが、他の配向に沿って引っ張られる場合に強く係合するように、一方向性の係合機能を有する可能性がある。
【００９３】
この締め紐デザイン原理は脚部フープに均一に適用される、すなわち、それらは、中央部分の後部領域への連結の付近でそれぞれヒップ／大腿パネルに連結される中央部分の後部領域に重なり合うヒップ／大腿パネルの領域のみに一端が連結される、各々伸縮性をもたせた脚部フープ材料の一つの部分を含む可能性がある。その部分はそれから、例えば、ヒップ／大腿パネルの後部に折り畳まれた延長部によって形成される、外被の締め紐のようにゆるく保持され、再閉止可能に中央部分に連結する、または、直接内側の脚部口ゴム部分に連結する。
【００９４】
本発明の特定の利点を示すさらなる実施態様は、乳児用おしめのような使い捨ての吸収性製品においては周知のいわゆる二次的なトップシートを含む製品と関連がある。典型的に軽量の不織材料であるそのような材料は、例えば吸収性中心部のような中心部にかぶせられる（第一の）トップシートと着用者の肌との間で配置され、汚物が着用者の肛門付近の開口である開口部を通るのを可能にする。それから二次的なトップシートがその汚物を遮蔽する、および／または、着用者の肌にそれが接触するのを防ぐ。しかしながら、ＷＯ ０３／００９７９５において例えば示されるすべての従来のデザインは、（ｉ）開口部を保ちつつ、二次的なトップシートと着用者の肌との接触の保持、（ｉｉ）十分な開口、および（ｉｉｉ）汚物の通過を可能にする肛門付近の開口部、同様に（ｉｖ）汚物を取って収容するのに必要な空隙部の提供の課題を適切に支持しない。本発明は、図９において概略的に表されるような、図１０ＡからＧでさらに説明されるその製造のための単純な工程と同様に上記の不都合を克服する特に適切なデザインを提供する。
【００９５】
最も簡単な形態では、二次的なトップシート９１００は、あらゆるゴム特性を必要としない従来の不織材料のような、この目的に適切なあらゆる材料であってもよい。使用の間、着用者の肛門付近の開口領域に置かれるための開口部は、ＭＤおよびＣＤ延長と、少なくともその使用の間それぞれの外辺部を有する。製品は所定の延長部まで延長される少なくとも二つのゴム要素をさらに含み、各々は少なくとも外辺部の点または開口部の外辺部の近くに連結し、それによって、各々の二つの連結点は、開口部の中央と関連して対向する位置、および、少なくともトップシートまたは二次的なトップシートの連結点にあり、その位置は、開口部の中央位置と関連して外側に離れて配置され、それによって開口部を維持する力を作成する。特定の実施例において、二次的なトップシートは、使用の間、着用者の肛門付近の開口領域に置かれる開口部を形成するための前後方向の切れ目を含み、そこにおいて、ゴム要素、好ましくはゴム・スレッドまたはバンドは、本質的に製品の縦の中心線と整列して配置される。さらに、ゴム要素は、ゴム要素への張力が切れ目によって形成された開口部を維持するように好ましくは製品のウエスト領域において、切れ目の外辺部上の点または切れ目付近の点、および切れ目から縦に離れた点に連結される。
【００９６】
図９および１０にて図示するように、ゴムは、製品３０５０のそれぞれ織布の縦の中心線に沿って配置される。ゴムは、所定の延長部まで容易に延長されることができ、開口部を形成する切断部９４００のそれぞれ開口部の外辺部において、少なくとも位置９５００で二次的なトップシート材料に連結される。ゴム材料は、少なくともさらに縦に補われる二つのさらなる位置９５５０に連結される。この織布はそれから、使用の間、着用者の肛門付近の開口に対応する位置において所望の開口幅に対応する幅で前後に切断されることによって孔が開けられる。そしてゴム材料９３００は、開口部９４００を維持するために適切な力を生む。一つの例示として記載された製造工程において、ゴム９３００は最初に織布材料に組み合わせられ、好ましくは図１０Ａに示す砂時計形状に整えられるこの複合材料は、側面部分が折り畳んだ後に製品の内側に対応して連結されるまたは連結されることになっている、対向する表面上の前駆半加工品の中央部分３１００に加えられる。前後方向の切断は、この時点でまたは好ましくは複合材料を中央部分に組み合わせる前に導入される。
【００９７】
二次的なトップシートは、あらゆる従来の接続手段、好ましくは微細な接着層である連結線９１２０に沿ってその前後の外辺部で前駆半加工品３１００に連結される（図１０ＡおよびＤ参照）。第二の手順において、二次的なトップシート９１００を有する中央部分３１００は、二次的なトップシートが狭い中央領域ではなく、むしろ広い前部および後ろの領域で折り畳まれるように折り目ライン９６００に沿って縦に折り畳まれる。図１０ＢおよびＥで示すようにこの折り目は、二次的なトップシートの外側の部分にかぶさる。二次的なトップシートはここで、図１０Ｆの連結線９７００として示されるように中央部分の端に連結されるが、肛門付近の開口部の方への切断領域に対応する領域のみに連結される。ここでｚ型の折り目は取り除かれ、口ゴムが二次的なトップシートに取り付けられ、ヒップ／脚部パネルに口ゴムの前部および後部の部分取り付けるようにして、それによって、同時に、口ゴムの両方の表面部分を露出させる。そこで図１０ＣおよびＧにて図示するように、先駆半加工品は、さらなる処理のために運ばれる可能性がある。
【００９８】
使用中、二次的なトップシートは着用者の肌に密接に保持され、開口部は、ゴムの収縮力によって、縦の方向に開いて維持される。さらにそれは、中央部分の側面の縁への連結によって、着用者の股の折り目へ上方に折り畳まれ、それによって必要とされる空隙部を提供するため、前後に開いて維持される。
【００９９】
代替的な実施態様において、ゴムが製品の前後に適用されるのに対し、開口部作成する切断はそれに対して垂直に適用される。さらなる代替的な実施態様において、開口部が二次的なトップシート材料の部分の切断によってすでに作成され、あらゆる配向のゴムが開口部を維持するために適所に適用される可能性がある。さらなる代替的な実施態様において、二次的なトップシートは、それ自体ゴム特性を呈する材料で作成される、または、そのような材料および他の弾性のない材料の複合材料であってもよい。
【０１００】
好ましい実施態様において、二次的なトップシート材料は、尿のような水性の滲出液の受容領域を対象にする特定の領域の液体透過を改良するために特に処理され、一方で、開口部の周囲の領域のような他の領域は例えば汚物が貫通するのを防ぐために処理される可能性がある。
【０１０１】
二次的なトップシートのさらに好ましい実施態様は、例えば高度に空気を浸透することにより、または、クリームまたはローション剤のような特に肌になじむ物質を含むことにより肌へのなじみを改良する手段を含む。さらに特定のデザインの特徴は、例えば着用者の後部よりも前部の下側に合うようなパンツのスタイルの製品のような製品に関連がある。そのような製品はヒップ／大腿パネルを矩形に成形せず、例えば台形に成形することによって容易に達成されるが、中央部分の前部および後部領域はまた対応する長さの差異を有する。
【０１０２】
本発明の議論が本質的に平らな織布材料からの製品の成形に重点を置くのに対して、これらの材料の各々は、部分的にまたは完全に織布材料のいくつかの層で作成される複合材料であってもよい。特に吸収性の製品としての用途のため、本質的に織布のような材料である、または、それ自身が三次元形状である、または、高いしみ出し性能を有する材料の少なくとも一つの余分な層を含む収集システムを含む吸収性の中心部またはシートが挿入される可能性がある。
【０１０３】
本発明は、様々な製品に適用される可能性がある。あらゆる制限を暗示せずに、それは、赤ちゃんのおしめデザインのような使い捨ての吸収性の製品を作成するために使われる可能性があり、そこで、前部領域のヒップ／脚部パネルへの連結が、機械的な固定手段のような再閉止手段、またはテープ、前もって閉じられたパンツ、およびトレーニング・パンツ、サニタリーショーツ、成人用おしめ製品など；使い捨ての下着のような使い捨ての製品；例えば下着、水着などの使い捨てではない製品により達成される。
【０１０４】
同様に、本発明は、高速生成機械における工業的なスケールでこれまで製造されることができなかった製品の特定の実施態様と同じく本発明によって生じる製品を含む。
【図１Ａ】
2010504773.tif 000003
【図１Ｂ】
2010504773.tif 000004
【図２Ａ】
2010504773.tif 000005
【図２Ｂ】
2010504773.tif 000006
【図３Ａ】
2010504773.tif 000007
【図３Ｂ】
2010504773.tif 000008
【図３Ｃ】
2010504773.tif 000009
【図３Ｄ】
2010504773.tif 000010
【図３Ｅ】
2010504773.tif 000011
【図４】
2010504773.tif 000012
【図５Ａ】
2010504773.tif 000013
【図５Ｂ】
2010504773.tif 000014
【図５Ｃ】
2010504773.tif 000015
【図５Ｄ】
2010504773.tif 000016
【図６Ａ】
2010504773.tif 000017
【図６Ｂ】
2010504773.tif 000018
【図７】
2010504773.tif 000019
【図８Ａ】
2010504773.tif 000020
【図８Ｂ】
2010504773.tif 000021
【図８Ｃ】
2010504773.tif 000022
【図８Ｄ】
2010504773.tif 000023
【図８Ｅ】
2010504773.tif 000024
【図９】
2010504773.tif 000025
【図１０Ａ】
2010504773.tif 000026
【図１０Ｂ】
2010504773.tif 000027
【図１０Ｃ】
2010504773.tif 000028
【図１０Ｄ】
2010504773.tif 000029
【図１０Ｅ】
2010504773.tif 000030
【図１０Ｆ】
2010504773.tif 000031
【図１０Ｇ】
2010504773.tif 000032
【国際調査報告】
2010504773.tif 000033
2010504773.tif 000034
2010504773.tif 000035